【事件の表示】
　特願２０１５−　３１６２２「遊技機」拒絶査定不服審判事件〔平成２８年　８月２５日出願公開、特開２０１６−１５２８５５〕について、次のとおり審決する。
【結　論】
　本件審判の請求は、成り立たない。
【理　由】
第１　手続の経緯
　本願は、平成２７年２月２０日の出願であって、平成２８年１月２２日付けで拒絶の理由が通知され、これに対し同年３月２２日付けで手続補正がなされたが、同年９月６日付け（発送日：９月９日）で拒絶査定がなされ、これに対して、同年１２月７日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１を補正する内容を含んでおり、平成２８年３月２２日付けの手続補正と本件補正の特許請求の範囲の請求項１の記載はそれぞれ、以下のとおりである（下線部は、補正箇所を示す。）。
（補正前：平成２８年３月２２日付け手続補正）
「【請求項１】
　取得条件の成立に応じて取得情報を取得する取得手段と、
　前記取得情報に基づいて、特別遊技を実行するか否かを判定する特別遊技判定手段と、
　前記特別遊技判定手段による判定が行われると、所定の図柄表示手段において図柄を変動表示させてから当該判定の結果を示す図柄を停止表示させる図柄表示制御手段と、
　前記特別遊技判定手段の判定結果に基づく演出を実行する演出実行手段と、を備え、
　前記演出実行手段は、
　　第１演出を実行する第１演出実行手段と、
　　前記第１演出の実行中に第２演出を開始する第２演出実行手段と、
　　前記特別遊技が実行される可能性が相対的に高いことを示唆する予告演出を実行可能な予告演出実行手段と、を含み、
　前記第２演出の開始に伴って、実行中の前記第１演出の演出態様を維持する場合と、前記第２演出の開始から所定時間経過したことに伴って、演出態様が変化した前記第１演出を開始する場合とがあり、
　演出態様が変化した前記第１演出が開始された後に前記予告演出が実行される場合があることを特徴とする遊技機。」
（補正後：本件補正である平成２８年１２月７日付け手続補正）
「【請求項１】
　取得条件の成立に応じて取得情報を取得する取得手段と、
　前記取得情報に基づいて、特別遊技を実行するか否かを判定する特別遊技判定手段と、
　前記特別遊技判定手段による判定が行われると、所定の図柄表示手段において図柄を変動表示させてから当該判定の結果を示す図柄を停止表示させる図柄表示制御手段と、
　前記特別遊技判定手段の判定結果に基づく演出を実行する演出実行手段と、を備え、
　前記演出実行手段は、
　　
前記図柄の変動表示が開始される前に第１の演出態様の
開始
　　前記第１演出
が
されている状態で、前記図柄の変動表示に伴って
　　前記特別遊技が実行される可能性が相対的に高いことを示唆する予告演出を実行可能な予告演出実行手段と、を含み、
　
前記演出実行手段は、
　　
前記第２演出の開始から第１時間が経過すると前記第１の演出態様の第１演出を終了させる第１演出パターンの演出と、
　　
前記第２演出の開始に伴って前記第１演出の演出態様を前記第１の演出態様から第２の演出態様へと変化させて、前記第２演出の開始から前記第１時間よりも長い第２時間が経過するまで当該第１演出を継続させる第２演出パターンの演出とを実行可能であり、
　
前
の演出態様
前記第２の演出態様に変化し
り、
　
前記第１演出の演出態様が前記第２の演出態様に変化すると、前記図柄の変動表示中におけるリーチ成立後も前記第２の演出態様の第１演出が継続す
２．補正の適否
（１）補正後の請求項１は、補正前の請求項１に記載された発明特定事項である「第１演出実行手段」について、補正前の「第１演出を実行」することから、補正後の「前記図柄の変動表示が開始される前に第１の演出態様の第１演出を開始」することと、開始時期を特定することにより、請求項１の記載を限定するものである。
（２）補正後の請求項１は、補正前の請求項１に記載された発明特定事項である「第２演出実行手段」について、補正前の「前記第１演出の実行中に第２演出を開始する」ことから、補正後の「前記第１演出が実行されている状態で、前記図柄の変動表示に伴って第２演出を開始する」ことと、開始時期を特定することにより、請求項１の記載を限定するものである。
（３）補正後の請求項１は、補正前の請求項１に記載された発明特定事項である「演出実行手段」について、「前記第２演出の開始に伴って、実行中の前記第１演出の演出態様を維持する場合と、前記第２演出の開始から所定時間経過したことに伴って、演出態様が変化した前記第１演出を開始する場合とがあ」ることから、補正後の「前記第２演出の開始から第１時間が経過すると前記第１の演出態様の第１演出を終了させる第１演出パターンの演出と、前記第２演出の開始に伴って前記第１演出の演出態様を前記第１の演出態様から第２の演出態様へと変化させて、前記第２演出の開始から前記第１時間よりも長い第２時間が経過するまで当該第１演出を継続させる第２演出パターンの演出とを実行可能であ」ることとすることで、「演出実行手段」が実行する演出の「演出態様」に関して、「第１演出パターン」及び「第２演出パターン」の演出を実行可能であることを特定することにより、請求項１の記載を限定するものである。
（４）補正後の請求項１は、補正前の請求項１に記載された「演出態様が変化した前記第１演出が開始された後に前記予告演出が実行される場合がある」ことから、補正後の請求項１に記載された「前記第１演出の演出態様が前記第２の演出態様に変化した後に前記予告演出が実行される場合があ」ることとすることで「予告演出」が実行される時期について特定することにより、請求項１の記載を限定するものである。
（５）補正後の請求項１は、補正前の請求項１に記載された発明特定事項である「演出実行手段」について、「前記第１演出の演出態様が前記第２の演出態様に変化すると、前記図柄の変動表示中におけるリーチ成立後も前記第２の演出態様の第１演出が継続する」ことという構成を付加することにより、請求項１の記載を限定するものである。
　補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、明細書の段落【０１２８】、【０１３１】、【０１３７】、【０１３９】、【０１４０】及び図１１等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１．の本件補正の概要において示した次に特定されるとおりのものである（Ａ〜Ｍについては、発明特定事項を分説するため当審で付与した。）。
「Ａ　取得条件の成立に応じて取得情報を取得する取得手段と、
Ｂ　前記取得情報に基づいて、特別遊技を実行するか否かを判定する特別遊技判定手段と、
Ｃ　前記特別遊技判定手段による判定が行われると、所定の図柄表示手段において図柄を変動表示させてから当該判定の結果を示す図柄を停止表示させる図柄表示制御手段と、
Ｄ　前記特別遊技判定手段の判定結果に基づく演出を実行する演出実行手段と、を備え、
Ｅ　前記演出実行手段は、
Ｆ　前記図柄の変動表示が開始される前に第１の演出態様の第１演出を開始する第１演出実行手段と、
Ｇ　前記第１演出が実行されている状態で、前記図柄の変動表示に伴って第２演出を開始する第２演出実行手段と、
Ｈ　前記特別遊技が実行される可能性が相対的に高いことを示唆する予告演出を実行可能な予告演出実行手段と、を含み、
Ｉ　前記演出実行手段は、
Ｊ　前記第２演出の開始から第１時間が経過すると前記第１の演出態様の第１演出を終了させる第１演出パターンの演出と、
Ｋ　前記第２演出の開始に伴って前記第１演出の演出態様を前記第１の演出態様から第２の演出態様へと変化させて、前記第２演出の開始から前記第１時間よりも長い第２時間が経過するまで当該第１演出を継続させる第２演出パターンの演出とを実行可能であり、
Ｌ　前記第１演出の演出態様が前記第２の演出態様に変化した後に前記予告演出が実行される場合があり、
Ｍ　前記第１演出の演出態様が前記第２の演出態様に変化すると、前記図柄の変動表示中におけるリーチ成立後も前記第２の演出態様の第１演出が継続することを特徴とする遊技機。」
（２）刊行物１に記載された事項
　本願の出願前に頒布された刊行物である特開２０１４―１０４１２７号公報（以下、「刊行物１」という。）には、「遊技台」について、図面と共に次の事項が記載されている（下線は当審で付した。）。
（ア）「【００５７】
　＜主制御部＞
　まず、
パチンコ機１００
【００５８】
　
主制御部３００は、主制御部３００の全体を制御する基本回路３０２を備えており、
【００５９】
　また、
基本回路３０２には、
特図表示装置２１２の表示制御を行うための駆動回路３２４と
を接続している。
（イ）「【０１０４】
　＜主制御部タイマ割込処理＞
　次に、図８を用いて、
主制御部３００のＣＰＵ３０４が実行する
・・・
【０１１５】
　また、図１に示すパチンコ機１００では特図の保留記憶がない。主制御部３００のＲＡＭ３０８には特図入賞フラグが用意されている。特図入賞フラグは、普図電動役物２５２の扉部材２５２１が閉鎖するとオフ状態になる。したがって、普図電動役物２５２の扉部材２５２１が開放した直後には特図入賞フラグはオフ状態である。
主制御部３００のＣＰＵ３０４は、特図始動口２３０に入賞があり、且つ、特図入賞フラグがオフ状態であれば、所定の始動情報を取得する。
・・・
【０１５０】
　ステップＳ２２５における特図状態更新処理が終了すると、今度は、
特図関連抽選処理
を行う。
特図始動情報記憶領域に始動情報が記憶されているか否かを判定する。
始動情報が記憶されていれば所定の当否判定条件が成立していることになる。
【０１５１】
　
所定の当否判定条件が成立していれば、
始動情報
を取得し、特図当否判定
処理を行う。
（ウ）「【０１６５】
　特図変動期間の決定が終了すると、
特図関連抽選処理
は終了
各種のコマンドが第１副制御部４００に送信される。
【０１６６】
　具体的には、ストローブ情報は上述のコマンド送信処理でオン、オフするようにしている。また、特図図柄変動開始コマンドの場合であれば
コマンドデータに、特図停止図柄を表す情報
を含み
（エ）「【０１７１】
　
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
（オ）「【０１８８】
　第１副制御部４００には、図８に示すコマンド設定送信処理（ステップＳ２３３）で、主制御部３００から、普図の作動期間の開始を表す普図作動開始コマンド、普図電動役物２５２における扉部材２５２１の閉鎖を表す普図電動役物閉鎖コマンド、特図の変動開始を表す図柄変動開始コマンド等が送信される。普図作動開始コマンドには、普図電動役物２５２における扉部材２５２１の開閉パターンを表す情報が含められている。図９（ａ）に示すようにここでは、扉部材２５２１の開閉パターンは、１回開放して、１回閉鎖するパターンであるが、第１副制御部４００は、この情報に基づいて、一回の普図の作動期間における扉部材２５２１の最後の閉鎖を認識することができる。すなわち、第一期間の一例に相当する電チュー開放終了待機時間（ここでは６０秒）の直前の閉鎖を認識することができる。
第１副制御部４００は、演出制御処理において、まず、特別演出開始条件が成立したか否かを判定する
特別演出開始条件が成立し、
特別演出コマンドを設定し
設定された特別演出コマンドは、
第２副制御部５００に送信される。第２副制御部５００は、特別演出コマンドを受信すると、その特別演出コマンドに基づいて、装飾図柄表示装置２０８の制御を行い、装飾図柄表示装置２０８には、
所定の特別演出の画像が表示される。
（カ）「【０１９７】
　以上説明したように、装飾図柄表示装置２０８は画像表示手段の一例に相当する。また、
第１副制御部４００および第２副制御部５００を併せたものが、演出制御手段の一例に相当する。
（キ）「【０３１４】
　
第１特図表示装置２１２および第２特図表示装置２１４は、当否判定結果（抽選結果）を報知する報知手段であって、図柄変動を開始してから当否判定の結果に対応した図柄態様
を停止表示するまでの図柄変動表示を行う図柄表示手段の一例に相当する。
（ク）「【０４４７】
　図３８（ｂ）は特図の装飾図柄の一例を示した図である。本実施形態における特図の装飾図柄には、「装飾１」〜「装飾１０」の１０種類がある。保留消化条件が成立した場合に、装飾図柄表示装置２０８の左図柄表示領域２０８ａ、中図柄表示領域２０８ｂ、右図柄表示領域２０８ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。すなわち、装飾図柄表示装置２０８は、第１特図表示装置２１２および第２特図表示装置２１４とは別に、特図の装飾図柄を変動表示するものである。そして、装飾図柄の組合せである停止図柄態様（第２の図柄態様）を停止表示する。
特図の装飾図柄を変動表示および停止表示は、
第２特図表示装置２１４における図柄の変動表示および停止表示と同期している。
（ケ）「【０４４９】
　以下、装飾図柄表示装置２０８において、この「特図の装飾図柄の変動表示」を開始してから特図の装飾図柄の停止図柄態様（装飾図柄の組合せ）を停止表示するまでの表示を特図用装飾図柄の変動表示と称することがある。
特図用装飾図柄の変動表示は、第１副制御部４００が制御することによって行われる。
（コ）「【０５３４】
　図４６（ツ）には、
大当り遊技終了直後の装飾図柄表示装置２０８
この装飾図柄表示装置２０８の特図２保留表示領域２８２には、
特図２の保留数を表す第１〜第４特図２保留アイコン２８２１〜２８２４が表示されている。
【０５３５】
　図４６（テ）に示す装飾図柄表示装置２０８の上方には、確変状態であることを表す「確変中」という文字表示が行われている。すなわち、遊技情報を報知する演出が行われている。また、次回大当りまで電サポ状態が継続する。また、この図４６（テ）では、
第２特図表示装置２１４による図柄変動表示が開始され、装飾図柄表示装置２０８では特図２の装飾図柄の変動表示が開始されている。
【０５３６】
　さらに、普図演出領域２８３では、電サポ状態であることから普図演出は行われず（図４１に示すステップＳ６０１参照）、
この普図演出領域２８３は、消化保留アイコンの表示領域として機能している。
ここで開始された特図２の第１保留を表す第１特図２保留アイコン２８２１が、特図の図柄変動表示とともに特図２保留表示領域２８２から、別領域である普図演出領域２８３に移動し、その後、当該図柄変動が終了する以前に普図演出領域２８３で消える。
【０５３７】
　図４６（ト）では、第２特図表示装置２１４の図柄変動表示が終了し、停止図柄が表示されるとともに、装飾図柄表示装置２０８でははずれの装飾図柄の組み合わせである「装飾４−装飾５−装飾７」が停止表示される。一方、普図表示装置２１０では、普図の図柄変動表示が開始されている。なお、
普図演出領域２８３に移動した第１特図２保留アイコン２８２１（消化保留アイコン）
（サ）「【０５３８】
　続いて、
第２特図表示装置２１４による図柄変動表示が再び開始されるとともに、装飾図柄表示装置２０８では特図２の装飾図柄の変動表示が再び開始され、
普図演出領域２８３では、消化保留アイコン２８２０が、デフォルトの表示態様とは異なる
表示態様（ここではパンダの顔の表示態様）に変化しているが、キャラクタＣ３によって視認困難になっており、
消化保留アイコン２８２０は、普図演出領域２８３への
移動完了後に、表示態様を変化させる。
【０５３９】
　図４６（ニ）に示す
装飾図柄表示装置２０８では、キャラクタＣ３は消え、特図２の装飾図柄の変動表示でリーチ演出に発展する。キャラクタＣ３が消えたことにより、普図演出領域２８３における消化保留アイコン２８２０による大当り予告は良好に視認することができる。
【０５４０】
　図４６（ヌ）に示す普図表示装置２１０では図柄変動表示が開始されるが、普図演出領域２８３には、何の図柄も表示されず、普図の装飾図柄の変動表示は非実行である。また、
この装飾図柄表示装置２０８では、特図２の装飾図柄の変動表示がスーパーリーチに発展し、スーパーリーチの演出として、女中のキャラクタＣ２が登場する。
（シ）「【０６１８】
　なお、第三の演出は、保留アイコンであったり、時短回数や連荘数の表示であったりしてもよい。」
　上記（ア）〜（シ）の記載事項から、以下の事項が導かれる。
（ａ）上記（イ）【０１１５】には、主制御部３００のＣＰＵ３０４は、特図始動口２３０に入賞があり、且つ、特図入賞フラグがオフ状態であれば、所定の始動情報を取得することが記載されている。
　そうすると、刊行物１には、特図始動口２３０に入賞があり、且つ、特図入賞フラグがオフ状態であれば、所定の始動情報を取得する主制御部３００が記載されているといえる。
（ｂ）上記（イ）【０１０４】、【０１５０】、【０１５１】には、主制御部３００のＣＰＵ３０４が実行することとして、特図関連抽選処理を行うこと、及び、特図関連抽選処理では、特図始動情報記憶領域に始動情報が記憶されているか否かを判定し、始動情報が記憶されていれば、その始動情報を取得し、特図当否判定処理を行うことが記載されている。
　そうすると、刊行物１には、始動情報を取得し、当否の判定を行う主制御部３００が記載されているといえる。
（ｃ）上記（ア）【００５７】〜【００５９】には、主制御部３００は、主制御部３００の全体を制御する基本回路３０２を備えており、基本回路３０２には、特図表示装置２１２の表示制御を行うための駆動回路３２４を接続していることが、また、上記（キ）【０３１４】には、第１特図表示装置２１２および第２特図表示装置２１４は、当否判定結果（抽選結果）を報知する報知手段であって、図柄変動を開始してから当否判定の結果に対応した図柄態様を停止表示するまでの図柄変動表示を行う図柄表示手段であることが記載されている。
　そうすると、刊行物１には、図柄変動を開始してから当否判定の結果に対応した図柄態様を停止表示するまでの図柄変動表示を行う特図表示装置の表示制御を行う主制御部３００が記載されているといえる。
（ｄ）上記（ウ） 【０１６５】、【０１６６】には、特図関連抽選処理が終了すると、各種のコマンドが第１副制御部４００に送信されること、及び、コマンドには、特図停止図柄を表す情報等含むことが、上記（エ）【０１７１】には、第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになることが、上記（オ）【０１８８】には、第１副制御部４００は、演出制御処理において、まず、特別演出開始条件が成立したか否かを判定し、特別演出開始条件が成立すると特別演出コマンドを設定し、第２副制御部５００に送信し、第２副制御部５００は、特別演出コマンドを受信すると、その特別演出コマンドに基づいて、装飾図柄表示装置２０８の制御を行い、装飾図柄表示装置２０８には、所定の特別演出の画像が表示されることが、上記（カ）【０１９７】には、第１副制御部４００および第２副制御部５００を併せたものが、演出制御手段の一例に相当することが、上記（ケ）【０４４９】には、特図用装飾図柄の変動表示は、第１副制御部４００が制御することによって行われることが、それぞれ、記載されている。
　そうすると、刊行物１には、特図停止図柄を表す情報等を含むコマンドデータの情報に基づいて、演出制御内容を決定して特図用装飾図柄の変動表示を行う第１副制御部４００及び装飾図柄表示装置２０８に所定の特別演出の画像を表示する第２副制御部５００の演出制御手段が記載されているといえる。
（ｅ）上記（ｄ）より、刊行物１には、演出制御手段が記載されている。
（ｆ）上記（コ）【０５３４】、【０５３５】には、大当り遊技終了直後の装飾図柄表示装置２０８の特図２保留表示領域２８２には、特図２の保留数を表す第１〜第４特図２保留アイコン２８２１〜２８２４が表示されており、その後、第２特図表示装置２１４による図柄変動表示が開始されることが記載されている。
　そうすると、刊行物１には、演出制御手段は、第２特図表示装置２１４による図柄変動表示が開始される前に第１特図２保留アイコン２８２１を表示することが記載されているといえる。
（ｇ）上記（ク）【０４４７】には、特図の装飾図柄の変動表示および停止表示は、第２特図表示装置２１４における図柄の変動表示および停止表示と同期していることが、上記（コ）【０５３４】〜【０５３７】には、装飾図柄表示装置２０８の特図２保留表示領域２８２には、特図２の保留数を表す第１〜第４特図２保留アイコン２８２１〜２８２４が表示されており、その後、第２特図表示装置２１４による図柄変動表示が開始され、装飾図柄表示装置２０８では特図２の装飾図柄の変動表示が開始されており、消化保留アイコンの表示領域として機能している普図演出領域２８３に、ここで開始された特図２の第１保留を表す第１特図２保留アイコン２８２１が、特図の図柄変動表示とともに特図２保留表示領域２８２から、別領域である普図演出領域２８３に移動して消化保留アイコンとして表示され、その後、当該図柄変動が終了する以前に普図演出領域２８３で消えることが、それぞれ、記載されている。
　そうすると、刊行物１には、演出制御手段は、表示されている第１特図２保留アイコン２８２１を別領域である普図演出領域２８３に移動して消化保留アイコンとして表示し、第２特図表示装置２１４における図柄の変動表示の開始に同期して装飾図柄表示装置２０８で装飾図柄の変動表示を開始することが記載されているといえる。
（ｈ）上記（サ）【０５４０】には、装飾図柄表示装置２０８では、特図２の装飾図柄の変動表示がスーパーリーチに発展し、スーパーリーチの演出として、女中のキャラクタＣ２が登場することが記載されている。
　そうすると、刊行物１には、演出制御手段は、スーパーリーチの演出として、女中のキャラクタＣ２を登場させることが記載されているといえる。
（ｉ）上記（ｄ）より、刊行物１には、演出制御手段が記載されている。
（ｊ）上記（ｇ）より、刊行物１には、演出制御手段は、装飾図柄の変動表示が開始されてから、図柄変動が終了する以前に、消化保留アイコンとして表示されていた第１特図２保留アイコン２８２１を消すことが記載されているといえる。
（ｋ）上記（コ）【０５３６】には、消化保留アイコンの表示領域として機能している普図演出領域２８３に、ここで開始された特図２の第１保留を表す第１特図２保留アイコン２８２１が、特図の図柄変動表示とともに特図２保留表示領域２８２から、別領域である普図演出領域２８３に移動することが、上記（サ）【０５３８】には、第２特図表示装置２１４による図柄変動表示が再び開始されるとともに、装飾図柄表示装置２０８では特図２の装飾図柄の変動表示が再び開始されると、普図演出領域２８３では、消化保留アイコン２８２０が、普図演出領域２８３への移動完了後に、デフォルトの表示態様とは異なる、パンダの顔の表示態様に変化することあることが、それぞれ、記載されている。
　そうすると、刊行物１には、演出制御手段は、装飾図柄の変動表示の開始とともに別領域である普図演出領域２８３に移動した消化保留アイコン２８２０を、移動完了後にデフォルトの表示態様とは異なる、パンダの顔の表示態様に変化させることが可能であることが記載されているといえる。
（ｌ）上記（サ）【０５３８】〜【０５４０】には、普図演出領域２８３では、消化保留アイコン２８２０が、デフォルトの表示態様とは異なる、パンダの顔の表示態様に変化した後に、特図２の装飾図柄の変動表示がリーチ演出に発展し、さらに、スーパーリーチに発展し、スーパーリーチの演出として、女中のキャラクタＣ２が登場することが記載されている。
　そうすると、刊行物１には、演出制御手段は、消化保留アイコン２８２０が、デフォルトの表示態様とは異なる、パンダの顔の表示態様に変化した後に、スーパーリーチの演出として、女中のキャラクタＣ２を登場させることが記載されているといえる。
（ｍ）上記（ア）【００５７】には、パチンコ機１００が、上記（サ）【０５３８】、【０５３９】には、普図演出領域２８３では、消化保留アイコン２８２０が、デフォルトの表示態様とは異なる表示態様（ここではパンダの顔の表示態様）に変化しているが、キャラクタＣ３によって視認困難になっていること、及び、装飾図柄表示装置２０８で、キャラクタＣ３が消え、特図２の装飾図柄の変動表示でリーチ演出に発展すると、キャラクタＣ３が消えたことにより、普図演出領域２８３における消化保留アイコン２８２０は良好に視認することができることが、それぞれ、記載されている。
　そうすると、刊行物１には、消化保留アイコン２８２０がパンダの顔の表示態様に変化すると、装飾図柄の変動表示がリーチ演出に発展しても視認することができるパチンコ機１００が記載されているといえる。
　以上、上記（ア）〜（シ）の記載事項及び上記（ａ）〜（ｍ）の認定事項を総合すれば、刊行物１には、以下の発明（以下、「引用発明１」という。）が記載されている（ａ〜ｍは発明の構成を分説するため当審で付与した。）。
「ａ　特図始動口２３０に入賞があり、且つ、特図入賞フラグがオフ状態であれば、所定の始動情報を取得する主制御部３００と、
ｂ　始動情報を取得し、当否の判定を行う主制御部３００と、
ｃ　図柄変動を開始してから当否判定の結果に対応した図柄態様を停止表示するまでの図柄変動表示を行う特図表示装置の表示制御を行う主制御部３００と、　
ｄ　特図停止図柄を表す情報等を含むコマンドデータの情報に基づいて、演出制御内容を決定して特図用装飾図柄の変動表示を行う第１副制御部４００及び装飾図柄表示装置２０８に所定の特別演出の画像を表示する第２副制御部５００の演出制御手段と、を備え、
ｅ　演出制御手段は、
ｆ　第２特図表示装置２１４による図柄変動表示が開始される前に第１特図２保留アイコン２８２１を表示し、
ｇ　表示されている第１特図２保留アイコン２８２１を別領域である普図演出領域２８３に移動して消化保留アイコンとして表示し、第２特図表示装置２１４における図柄の変動表示の開始に同期して装飾図柄表示装置２０８で装飾図柄の変動表示を開始し、
ｈ　スーパーリーチの演出として、女中のキャラクタＣ２を登場させ、
ｉ　演出制御手段は、
ｊ　装飾図柄の変動表示が開始されてから、図柄変動が終了する以前に、消化保留アイコンとして表示されていた第１特図２保留アイコン２８２１を消し、
ｋ　装飾図柄の変動表示の開始とともに別領域である普図演出領域２８３に移動した消化保留アイコン２８２０を、移動完了後にデフォルトの表示態様とは異なる、パンダの顔の表示態様に変化させることが可能であり、
ｌ　消化保留アイコン２８２０が、デフォルトの表示態様とは異なる、パンダの顔の表示態様に変化した後に、スーパーリーチの演出として、女中のキャラクタＣ２を登場させ、
ｍ　消化保留アイコン２８２０がパンダの顔の表示態様に変化すると、装飾図柄の変動表示がリーチ演出に発展しても視認することができるパチンコ機１００。」
（３）対比
　本願補正発明と引用発明１とを対比する。なお、見出しは（ａ）〜（ｍ）とし、本願補正発明、引用発明１の分説に対応させている。
（ａ）引用発明１の「所定の始動情報」は、本願補正発明１の「取得情報」に相当する。
　そして、引用発明１において、「特図始動口２３０に入賞があり、且つ、特図入賞フラグがオフ状態であ」るという取得条件が成立したときに、「所定の始動情報を取得」しているといえる。
　したがって、引用発明１の「特図始動口２３０に入賞があり、且つ、特図入賞フラグがオフ状態であれば、所定の始動情報を取得する主制御部３００」は、本願補正発明１の「取得条件の成立に応じて取得情報を取得する取得手段」としての機能を有する。
（ｂ）引用発明１の「始動情報を取得」し、当否の判定を行うことは、取得した始動情報を用いて、当否の判定をおこなうことであるから、引用発明１の「始動情報を取得」することは、本願補正発明の「前記取得情報に基づ」くことに相当する。
　また、当該技術分野において、取得した始動情報を用いて行う当否の判定が、特別遊技を実行するか否かの判定であることは技術常識であるから、引用発明１の「当否の判定を行う」ことは、本願補正発明の「特別遊技を実行するか否かを判定する」ことに相当する。
　したがって、引用発明１の「始動情報を取得し、当否の判定を行う主制御部３００」は、本願補正発明の「前記取得情報に基づいて、特別遊技を実行するか否かを判定する特別遊技判定手段」としての機能を有する。
（ｃ）上記（ｂ）より、引用発明１の「当否判定」は、本願補正発明の「特別遊技判定手段による判定」に相当する。
　また、引用発明１の「特図表示装置」及び「当否判定の結果に対応した図柄態様」は、本願補正発明の「図柄表示手段」及び「判定の結果を示す図柄」に相当する。
　したがって、引用発明１の「図柄変動を開始してから当否判定の結果に対応した図柄態様を停止表示するまでの図柄変動表示を行う特図表示装置の表示制御を行う主制御部３００」は、本願補正発明の「前記特別遊技判定手段による判定が行われると、所定の図柄表示手段において図柄を変動表示させてから当該判定の結果を示す図柄を停止表示させる図柄表示制御手段」としての機能を有する。
（ｄ）引用発明１の「特図停止図柄」は、上記（ｃ）の「当否判定の結果に対応した図柄態様」であるから、本願補正発明の「特別遊技判定手段の判定結果」を示す図柄に相当するから、引用発明１の「特図停止図柄を表す情報等を含むコマンドデータの情報に基づ」くことは、本願補正発明の「特別遊技判定手段の判定結果に基づく」ことに相当する。
　また、引用発明１の「演出制御内容を決定して特図用装飾図柄の変動表示を行う」こと及び「装飾図柄表示装置２０８に所定の特別演出の画像を表示する」ことは、本願補正発明の「演出を実行する」ことに相当する。
　したがって、引用発明１の「第１副制御部４００」及び「第２副制御部５００」とからなる「演出制御手段」は、本願補正発明の「演出実行手段」に相当する。
　よって、引用発明１の「特図停止図柄を表す情報等を含むコマンドデータの情報に基づいて、演出制御内容を決定して特図用装飾図柄の変動表示を行う第１副制御部４００及び装飾図柄表示装置２０８に所定の特別演出の画像を表示する第２副制御部５００の演出制御手段」は、本願補正発明の「前記特別遊技判定手段の判定結果に基づく演出を実行する演出実行手段」に相当する。
（ｅ）、（ｉ）上記（ｄ）より、引用発明１の「演出制御手段」は、本願補正発明の「演出実行手段」に相当する。
（ｆ）引用発明１の「第２特図表示装置２１４による図柄変動表示が開始される前」は、本願補正発明の「図柄の変動表示が開始される前」に相当する。
　そして、上記（２）（シ）【０６１８】より、刊行物１には「保留アイコン」の「表示」は「演出」であることが記載されているから、引用発明１の「第１特図２保留アイコン２８２１」の「表示」は、本願補正発明の「第１の演出態様の第１演出」に相当する。
　したがって、引用発明１の、演出制御手段は、本願補正発明の、「前記図柄の変動表示が開始される前に第１の演出態様の第１演出を開始する第１演出実行手段」を備えているといえる。
（ｇ）上記（ｆ）での検討を踏まえると、引用発明１の「表示されている第１特図２保留アイコン２８２１を別領域である普図演出領域２８３に移動して消化保留アイコンとして表示し」た状態は、本願補正発明の「前記第１演出が実行されている状態」に相当する。
　また、引用発明１の「装飾図柄の変動表示」は、図柄の変動に伴うものであるので、本願補正発明の「第２演出」に相当する。
　したがって、引用発明１の「第２特図表示装置２１４における図柄の変動表示の開始に同期して装飾図柄表示装置２０８で装飾図柄の変動表示を開始」することは、本願補正発明の「前記図柄の変動表示に伴って第２演出を開始する」ことに相当する。
　よって、引用発明１の、演出制御手段は、本願補正発明の、「前記第１演出が実行されている状態で、前記図柄の変動表示に伴って第２演出を開始する第２演出実行手段」を備えているといえる。
（ｈ）「スーパーリーチ」が、特別遊技が実行される可能性が相対的に高いことを示唆する演出であることは、当該技術分野の当業者にとって明らかなことである。
　したがって、引用発明１の「スーパーリーチの演出として、女中のキャラクタＣ２を登場させ」ることは、本願補正発明の「前記特別遊技が実行される可能性が相対的に高いことを示唆する予告演出を実行可能」である結果であり、引用発明１の演出制御手段は、本願補正発明の「予告演出実行手段」を含んでいるといえる。
　よって、引用発明１の、演出制御手段は、本願補正発明の、「前記特別遊技が実行される可能性が相対的に高いことを示唆する予告演出を実行可能な予告演出実行手段」を含むといえる。
（ｊ）上記（ｇ）より、引用発明１の「装飾図柄の変動表示」は、本願補正発明の「第２演出」に相当する。
　また、上記（ｆ）より、引用発明１の「第１特図２保留アイコン２８２１」を「表示」することは、本願補正発明の「第１演出態様の第１演出」に相当する。
　そして、引用発明１の、装飾図柄の変動表示が「開始されてから、図柄変動が終了する以前に、消化保留アイコンとして表示されていた第１特図２保留アイコン２８２１」を「消」すことは、本願補正発明の、第２演出の「開始から第１時間が経過すると」第１の演出態様の第１演出を「終了させる」こと、すなわち、「第１演出パターンの演出」を実行することに相当する。
　したがって、引用発明１の、演出制御手段は、「装飾図柄の変動表示が開始されてから、図柄変動が終了する以前に、消化保留アイコンとして表示されていた第１特図２保留アイコン２８２１を消」すことは、本願補正発明の、演出実行手段は、「前記第２演出の開始から第１時間が経過すると前記第１の演出態様の第１演出を終了させる第１演出パターンの演出」を実行可能である構成を含んでいる。
（ｋ）上記（ｇ）より、引用発明１の「装飾図柄の変動表示」は、本願補正発明の「第２演出」に相当する。
　また、引用発明１の「別領域である普図演出領域２８３に移動した消化保留アイコン２８２０」は、移動前から表示されていたものであるから、本願補正発明の「第１演出」の「第１の演出態様」にあることは明らかである。
　そして、引用発明１の「デフォルトの表示態様とは異なる、パンダの顔の表示態様」は、「第１の演出態様」とは異なるから、本願補正発明の「第２の演出態様」に相当する。
　したがって、引用発明１の「装飾図柄の変動表示の開始とともに別領域である普図演出領域２８３に移動した消化保留アイコン２８２０を、移動完了後にデフォルトの表示態様とは異なる、パンダの顔の表示態様に変化させ」ることは、本願補正発明の「前記第２演出の開始に伴って前記第１演出の演出態様を前記第１の演出態様から第２の演出態様へと変化させ」ることに相当する。
　そして、「デフォルトの表示態様とは異なる、パンダの顔の表示態様に変化させ」た「消化保留アイコン２８２０」の表示、すなわち、「第１演出」が所定時間（第２時間）が経過するまで継続していることは明らかであるから、引用発明１は、「前記第２演出の開始から」「第２時間が経過するまで当該第１演出を継続させる」演出を実行しているといえる。
　よって、引用発明１の、演出制御手段は、「装飾図柄の変動表示の開始とともに別領域である普図演出領域２８３に移動した消化保留アイコン２８２０を、移動完了後にデフォルトの表示態様とは異なる、パンダの顔の表示態様に変化させることが可能であ」ることは、本願補正発明の、演出実行手段は、「前記第２演出の開始に伴って前記第１演出の演出態様を前記第１の演出態様から第２の演出態様へと変化させて、前記第２演出の開始から」「第２時間が経過するまで当該第１演出を継続させる第２演出パターンの演出とを実行可能であ」る点で共通する。
（ｌ）上記（ｋ）における検討を踏まえると、引用発明１の「消化保留アイコン２８２０が、デフォルトの表示態様とは異なる、パンダの顔の表示態様に変化」することは、本願補正発明の「前記第１演出の演出態様が前記第２の演出態様に変化」することに相当する。
　また、上記（ｈ）より、引用発明１の「スーパーリーチの演出として、女中のキャラクタＣ２を登場させ」ることは、本願補正発明の「予告演出が実行」されることに相当する。
　したがって、引用発明１の、演出制御手段は、「消化保留アイコン２８２０が、デフォルトの表示態様とは異なる、パンダの顔の表示態様に変化した後に、スーパーリーチの演出として、女中のキャラクタＣ２を登場させ」ることは、本願補正発明の「前記第１演出の演出態様が前記第２の演出態様に変化した後に前記予告演出が実行される場合」に相当する。
（ｍ）引用発明１の「消化保留アイコン２８２０がパンダの顔の表示態様に変化する」ことは、本願補正発明の、「前記第１演出の演出態様が前記第２の演出態様に変化」することに相当する。
　また、引用発明１の「装飾図柄の変動表示がリーチ演出に発展」することは、本願補正発明の「図柄の変動表示中に」おいて「リーチ」が「成立」することに相当するので、引用発明１の「リーチ演出に発展しても」「パンダの顔の表示態様に変化」した「消化保留アイコン２８２０」を「視認することができる」ことは、本願補正発明の「リーチ成立後も」「第２の演出態様の第１演出が継続する」ことに相当する。
　また、引用発明１の「パチンコ機１００」は、本願補正発明の「遊技機」に相当する。
　したがって、引用発明１の「消化保留アイコン２８２０がパンダの顔の表示態様に変化すると、装飾図柄の変動表示がリーチ演出に発展しても視認することができる」「パチンコ機１００」は、本願補正発明の「前記第１演出の演出態様が前記第２の演出態様に変化すると、前記図柄の変動表示中におけるリーチ成立後も前記第２の演出態様の第１演出が継続する」「遊技機」に相当する。
　上記（ａ）〜（ｍ）の対比により、本願補正発明と引用発明１とは、
「Ａ　取得条件の成立に応じて取得情報を取得する取得手段と、
Ｂ　前記取得情報に基づいて、特別遊技を実行するか否かを判定する特別遊技判定手段と、
Ｃ　前記特別遊技判定手段による判定が行われると、所定の図柄表示手段において図柄を変動表示させてから当該判定の結果を示す図柄を停止表示させる図柄表示制御手段と、
Ｄ　前記特別遊技判定手段の判定結果に基づく演出を実行する演出実行手段と、を備え、
Ｅ　前記演出実行手段は、
Ｆ　前記図柄の変動表示が開始される前に第１の演出態様の第１演出を開始する第１演出実行手段と、
Ｇ　前記第１演出が実行されている状態で、前記図柄の変動表示に伴って第２演出を開始する第２演出実行手段と、
Ｈ　前記特別遊技が実行される可能性が相対的に高いことを示唆する予告演出を実行可能な予告演出実行手段と、を含み、
Ｉ　前記演出実行手段は、
Ｊ　前記第２演出の開始から第１時間が経過すると前記第１の演出態様の第１演出を終了させる第１演出パターンの演出と、
Ｋ’　前記第２演出の開始に伴って前記第１演出の演出態様を前記第１の演出態様から第２の演出態様へと変化させて、前記第２演出の開始から第２時間が経過するまで当該第１演出を継続させる第２演出パターンの演出とを実行可能であり、
Ｌ　前記第１演出の演出態様が前記第２の演出態様に変化した後に前記予告演出が実行される場合があり、
Ｍ　前記第１演出の演出態様が前記第２の演出態様に変化すると、前記図柄の変動表示中におけるリーチ成立後も前記第２の演出態様の第１演出が継続する遊技機。」
である点で一致し、以下の点で相違する。
［相違点］
　第２演出パターンの演出における当該第１演出を継続させる前記第２演出の開始からの経過時間である第２時間に関して、本願補正発明では、第２時間は第１時間よりも長いのに対し、引用発明１では、そのような特定がされていない点。
（４）判断
　上記相違点について検討する。
　図柄の変動中に消化保留アイコンの演出が変化する場合における当該図柄の変動表示を、演出が変化しない場合における当該図柄の変動表示より、長い時間継続するようにすることは、当該技術分野においては技術常識であることを考慮すると、引用発明１において、「パンダの顔の表示態様に変化させ」た「消化保留アイコン２８２０」が表示された場合に、上記（ｊ）において検討した、消化保留アイコンとして表示した「第１特図２保留アイコン２８２１」より、長い時間、「第１演出」を「継続」するようにすることは、当業者が必要に応じて適宜なし得る設計的事項にすぎない。
　そして、引用発明１において、「装飾図柄の変動表示」、すなわち、「第２演出」の開始から、消化保留アイコンとして表示した「第１特図２保留アイコン２８２１」が消えるまでが「第１時間」であるから、消化保留アイコンとして表示した「第１特図２保留アイコン２８２１」よりも長い時間、「デフォルトの表示態様とは異なる、パンダの顔の表示態様に変化」させた「消化保留アイコン２８２０」を表示するようにすることにより、「第１時間よりも長い第２時間が経過するまで」「第１演出を継続」させる「第２演出パターンの演出」を実行するようにして、上記相違点に係る本願補正発明の構成とすることは、当業者が容易になし得たことである。
（５）審判請求人の主張について
　審判請求書において、請求人は、本願補正発明の作用効果として下記のように主張している（８頁２〜１６行）。
「第１演出の演出態様が変化する場合の方が、変化しない場合に比べて、第１演出がより長く継続する。このたま、遊技者は、第１演出の演出態様が変化するか否かに基づいて、第１演出が終了するまでの時間を推測しながら遊技を楽しむことができる。」
「第１演出の演出態様が第２の演出態様に変化すると、図柄の変動表示中におけるリーチ成立後も第２の演出態様の第１演出が継続する。このため、例えば、第２の演出態様の第１演出と、リーチ成立後に行われる演出との相乗効果によって、演出効果を効果的に向上させることが可能である。」
「第１演出の演出態様が第２の演出態様に変化すると、リーチ成立後も第２の演出態様の第１演出が継続するので、遊技者は、第１演出の演出態様が第２の演出態様に変化するか否かに基づいて、リーチが成立するか否かを認識することが可能である。」
　この主張について検討すると、上記（３）（ｆ）〜（ｍ）において検討したとおり、刊行物１には、第１演出の演出態様が変化すること、及び、リーチ成立後も第２の演出態様の第１演出が継続することが記載されているから、請求人の主張する効果について、全て記載されているといえる。
　よって、請求人の主張は採用できない。
（６）小括
　よって、本願補正発明は引用発明１に基づいて当業者が容易に発明できたものであり、特許法第２９条第２項の規定に基づいて特許出願の際独立して特許を受けることができない。
４．むすび
　以上より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
１．請求項１に係る発明
　本願補正発明は、上記第２のとおり却下されたので、本願の請求項１に係る発明（以下、「本願発明」という。）は、平成２８年３月２２日付けの手続補正書により補正された、上記第２の１．で補正前として記載されたとおりのものである（Ａ〜Ｌ１については、発明特定事項を分説するため当審で付与した。Ａ〜Ｅ、Ｈについては、上記第２の３．（１）で本願補正発明として記載されたものと共通するので同一の符号を付与し、Ｆ１、Ｇ１、Ｊ１、Ｋ１、Ｌ１については、Ｆ、Ｇ、Ｊ、Ｋ、Ｌとの共通構成を考慮して付与した。）。
「Ａ　取得条件の成立に応じて取得情報を取得する取得手段と、
Ｂ　前記取得情報に基づいて、特別遊技を実行するか否かを判定する特別遊技判定手段と、
Ｃ　前記特別遊技判定手段による判定が行われると、所定の図柄表示手段において図柄を変動表示させてから当該判定の結果を示す図柄を停止表示させる図柄表示制御手段と、
Ｄ　前記特別遊技判定手段の判定結果に基づく演出を実行する演出実行手段と、を備え、
Ｅ　前記演出実行手段は、
Ｆ１　第１演出を実行する第１演出実行手段と、
Ｇ１　前記第１演出の実行中に第２演出を開始する第２演出実行手段と、
Ｈ　前記特別遊技が実行される可能性が相対的に高いことを示唆する予告演出を実行可能な予告演出実行手段と、を含み、
Ｊ１　前記第２演出の開始に伴って、実行中の前記第１演出の演出態様を維持する場合と、
Ｋ１　前記第２演出の開始から所定時間経過したことに伴って、演出態様が変化した前記第１演出を開始する場合とがあり、
Ｌ１　演出態様が変化した前記第１演出が開始された後に前記予告演出が実行される場合があることを特徴とする遊技機。」
２．刊行物２に記載された事項
　原査定の拒絶の理由に引用された本願の出願前に頒布された刊行物である特開２０１２−２４９７１７号公報（以下、「刊行物２」という。）には、「遊技台」について、図面と共に次の事項が記載されている（下線は当審で付した。）。
（ア）「【請求項１】
　遊技球が始動領域に進入したことに基づいて生成した始動情報を所定の複数の上限数まで記憶可能な始動情報記憶手段と、
　前記始動情報記憶手段に始動情報が記憶されたことを表す始動保留表示を該始動情報記憶手段に記憶された始動情報ごとに表示する始動保留表示手段と、
　
前記始動情報記憶手段に記憶されている始動情報に基づいて当否判定を行い当否判定結果を導出する当否判定手段
　
前記始動情報記憶手段に記憶されている始動情報ごとに、図柄変動表示を行ってから前記当否判定の結果を表す図柄態様を停止表示する図柄表示手段
を備えた遊技台であって、
　前記始動保留表示手段は、前記図柄変動表示が開始された場合に、開始された所定の図柄変動表示に対応した始動情報についての始動保留表示である消化始動保留表示を消し、該消化始動保留表示を消しても、該図柄変動表示が開始されていない始動情報についての始動保留表示である未消化始動保留表示が残るときには、該所定の図柄変動表示が開始される前の表示位置とは異なる新たな表示位置に該未消化始動保留表示を表示するものであって、
　前記所定の図柄変動表示が開始されてから前記未消化始動保留表示が前記新たな表示位置に表示されるまでの時間よりも該図柄変動表示が開始されてから前記消化始動保留表示が消されるまでの時間の方が長いことを特徴とする遊技台。」
（イ）「【００３２】
　普図表示装置２１０は、普図の表示を行うための表示装置であり、本実施形態では７セグメントＬＥＤによって構成する。
第１特図表示装置２１２および第２特図表示装置２１４は、特図の表示を行うための表示装置
第１特図表示装置２１２および第２特図表示装置２１４は、所定の図柄表示手段
（ウ）「【００５４】
　＜主制御部＞
　まず、
パチンコ機１００
主制御部３００
【００５５】
　
主制御部３００は、主制御部３００の全体を制御する基本回路３０２を備えており、
【００５６】
　また、
基本回路３０２には、
第１特図表示装置２１２や第２特図表示装置２１４の表示制御を行うための駆動回路３２４
を接続している。
（エ）「【００６５】
　＜副制御部＞
　次に、パチンコ機１００の
第１副制御部４００
・・・
【００６７】
　さらに、
第１副制御部４００には、装飾図柄表示装置
２０８
の制御を行うための第２副制御部５００が接続されている。
【００６８】
　
第１副制御部４００と第２副制御部５００を併せた副制御手段は、
装飾図柄表示装置２０８等の演出手段を制御する。
（オ）「【０１０１】
　＜主制御部タイマ割込処理＞
　次に、図７を用いて、
主制御部３００のＣＰＵ３０４が実行する主制御部タイマ割込処理
・・・
【０１１１】
　また、ステップＳ２１７では、
入賞受付処理
この入賞受付処理では、第１特図始動口２３０に入賞があり、且つ、保留している特図１変動遊技の数が所定数
未満である場合には、所定の始動情報を取得する。
（カ）「【０１３５】
　ステップＳ２２５およびステップＳ２２７における特図状態更新処理が終了すると、今度は、特図１および特図２それぞれについての特図関連抽選処理を行う。この
特図関連抽選処理を実行する主制御部３００のＣＰＵ３０４が当否判定手段の一例に相当する。
（キ）「【０１６１】
　ステップＳ２３１の
特図１関連抽選処理に続いて
各種のコマンドが第１副制御部４００に送信される。
【０１６２】
　具体的には、ストローブ情報は上述のコマンド送信処理でオン、オフするようにしている。また、コマンド種別が図柄変動開始コマンドの場合であれば
コマンドデータに、特図停止図柄を表す情報
を含み
（ク）「【０１７０】
　
第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになる。
（ケ）「【０１７６】
　一方、ステップＳ２４３では、復電時に電断時の状態に復帰するための特定の変数やスタックポインタを復帰データとしてＲＡＭ３０８の所定の領域に退避し、入出力ポートの初期化等の電断時処理を行い、その後、図６に示す主制御部メイン処理に復帰する。
＜
第１副制御部４００の処理
　図１１を用いて、第１副制御部４００の処理について説明する。なお、同図（ａ）は、第１副制御部４００のＣＰＵ４０４が実行するメイン処理のフローチャートである。
・・・
【０１８１】
　ステップＳ３０９では、
演出制御処理を行う。
・・・
【０１８６】
　ステップＳ３１９では、Ｓ３０９で読み出した演出データの中に
第２副制御部５００に送信する制御コマンドがある場合には、この制御コマンドを出力する設定を行い、
・・・
【０１９０】
　第１副制御部タイマ割込処理のステップＳ３４３では、ステップＳ３１９で設定された
第２副制御部５００への制御コマンドの送信
＜
第２副制御部５００の処理
　
第２副制御部５００では、第１副制御部４００から送信されてきた制御コマンドに基づいて、装飾図柄表示装置２０８の制御を実行する。
（コ）「【０２４０】
　図１８は、電サポ中における本実施形態における保留表示の第一の具体例を示す図である。
【０２４１】
　
図１８（ａ）に示す状態では特図２の保留数は３つであり、装飾図柄表示装置２０８には保留表示が３つ表示されている。
この時点における最も新しい保留３は、
普通の宝箱の表示態様で保留表示（保留３表示２９３）がなされている。
・・・
【０２４３】
　同図（ｅ）では、保留２に基づく図柄変動表示が開始され、保留２表示２９２がその開始タイミングと同タイミングで消え、
保留２表示２９２が消えると同時に、保留２表示２９２が表示されていた保留１表示領域に保留３表示２９３がシフトしたように見ることができる。
【０２４４】
　同図（ｇ１）〜（ｇ３）では、
保留３に基づく図柄変動表示が開始され、
図柄変動表示が開始されてから保留３表示２９３が消えるまでの時間
この時間が経過する間に、表示態様が宝箱Ａ１の場合には、
図柄変動表示が開始されても宝箱が一向に開かない様子が表示され、表示態様が宝箱Ａ２の場合には、
図柄変動表示が開始されると宝箱が開いて、中から
キャラクタが出現する場面が表示され、表示態様が宝箱Ａ３の場合には、
図柄変動表示が開始されると宝箱が開いて、中から
キャラクタが出現する場面が表示される。
同図（ｉ）に示す装飾図柄表示装置２０８では、
リーチＡの演出態様が行われている。
（サ）  図１８（ａ）〜（ｊ）には、装飾図柄表示装置２０８における表示の具体例が時系列で示されている。図１８（ｇ１）〜（ｇ３）には、図１８（ｇ）に示される状態において、３種類の表示態様の宝箱Ａ１〜Ａ３が表示される場合があることが示されている。
　上記（ア）〜（コ）の記載事項及び図面の図示内容（サ）から、以下の事項が導かれる。
（ａ）上記（オ）【０１０１】、【０１１１】には、主制御部３００のＣＰＵ３０４は主制御部タイマ割り込み処理を実行すること、及び、主制御部タイマ割り込み処理では、入賞受付処理を行い、この入賞受付処理では、第１特図始動口２３０に入賞があり、且つ、保留している特図１変動遊技の数が所定数未満である場合には、所定の始動情報を取得することが記載されている。
　そうすると、刊行物２には、第１特図始動口２３０に入賞があり、且つ、保留している特図１変動遊技の数が所定数未満である場合には、所定の始動情報を取得する主制御部３００が記載されているといえる。
（ｂ）上記（ア）【請求項１】には、始動情報記憶手段に記憶されている始動情報に基づいて当否判定を行い当否判定結果を導出する当否判定手段が、上記（カ）【０１３５】には、特図関連抽選処理を実行する主制御部３００のＣＰＵ３０４が当否判定手段に相当することが、それぞれ、記載されている。
　そうすると、刊行物２には、始動情報に基づいて、当否判定を行う主制御部３００が記載されているといえる。
（ｃ）上記（ア）【請求項１】には、始動情報記憶手段に記憶されている始動情報ごとに、図柄変動表示を行ってから前記当否判定の結果を表す図柄態様を停止表示する図柄表示手段が、上記（イ）【００３２】には、第１特図表示装置２１２および第２特図表示装置２１４は、特図の表示を行うための表示装置であり、所定の図柄表示手段であることが、上記（ウ）【００５４】〜【００５６】には、主制御部３００は、主制御部３００の全体を制御する基本回路３０２を備えており、基本回路３０２には、第１特図表示装置２１２や第２特図表示装置２１４の表示制御を行うための駆動回路３２４を接続していることが、それぞれ、記載されている。
　そうすると、刊行物２には、図柄変動表示を行ってから当否判定の結果を表す図柄態様を停止表示する図柄表示手段の表示制御を行う主制御部３００が記載されているといえる。
（ｄ）上記（エ）【００６５】、【００６７】、【００６８】には、第１副制御部４００には、装飾図柄表示装置２０８の制御を行うための第２副制御部５００が接続され、第１副制御部４００と第２副制御部５００を併せた副制御手段は、装飾図柄表示装置２０８等の演出手段を制御することが、上記（キ）【０１６１】、【０１６２】には、特図１関連抽選処理が終了すると、各種のコマンドが第１副制御部４００に送信されること、及び、コマンドには、特図停止図柄を表す情報等含むことが、上記（ク）【０１７０】には、第１副制御部４００では、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することができるようになることが、上記（ケ）【０１７６】、【０１８１】、【０１８６】、【０１９０】には、第１副制御部４００は、演出制御処理を行い、第２副制御部５００に制御コマンドを送信し、第２副制御部５００では、第１副制御部４００から送信されてきた制御コマンドに基づいて、装飾図柄表示装置２０８の制御を実行することが、それぞれ、記載されている。
　そうすると、刊行物２には、特図停止図柄を表す情報等を含むコマンドデータの情報に基づいて、演出制御内容を決定して装飾図柄表示装置２０８の演出手段の制御を実行する第１副制御部４００及び第２副制御部５００からなる副制御手段が記載されているといえる。
（ｅ）上記（ｄ）より、刊行物２には、副制御手段が記載されている。
（ｆ１）上記（コ）【０２４１】には、図１８（ａ）に示す状態では特図２の保留数は３つであり、装飾図柄表示装置２０８には保留表示が３つ表示されていること、及び、この時点における最も新しい保留３は、普通の宝箱の表示態様で保留表示（保留３表示２９３）がなされていることが記載されている。
　そうすると、刊行物２には、副制御手段は、宝箱の表示態様で保留３表示２９３を表示することが記載されているといえる。
（ｇ１）上記（コ）【０２４３】、【０２４４】には、保留２表示２９２が消えると同時に、保留２表示２９２が表示されていた保留１表示領域に保留３表示２９３がシフトしたように見ることができ、保留３に基づく図柄変動表示が開始されることが記載されている。
　そうすると、刊行物２には、副制御手段は、保留３表示２９３を表示した状態で、保留３に基づく図柄変動表示を開始することが記載されているといえる。
（ｈ）上記（コ）【０２４４】には、装飾図柄表示装置では、リーチＡの演出態様が行われていることが記載されている。
　そうすると、刊行物２には、副制御手段は、リーチＡの演出態様を行うことが記載されている。
（ｊ１）上記（コ）【０２４４】には、保留３に基づく図柄変動表示が開始されてから保留３表示２９３が消えるまでの時間が経過する間に、保留３表示２９３の表示態様が宝箱Ａ１の場合には、宝箱が一向に開かない様子が表示されることが記載されている。
　そうすると、刊行物２には、副制御手段は、保留３に基づく図柄変動表示が開始した後、保留３表示２９３の表示態様が宝箱Ａ１の場合には、宝箱が一向に開かないようにすることが記載されているといえる。
（ｋ１）上記（コ）【０２４４】には、保留３に基づく図柄変動表示が開始されると保留３表示２９３の表示態様が宝箱Ａ２やＡ３の場合には、宝箱が開いて中からキャラクタが出現する場面が表示されることが記載されている。
　そうすると、刊行物２には、副制御手段は、保留３に基づく図柄変動表示が開始されると、保留３表示２９３の表示態様が宝箱Ａ２やＡ３の場合には、宝箱が開いて中からキャラクタが出現する場面を表示することが記載されている。
（ｌ１）上記（ウ）【００５４】には、パチンコ機１００が、上記（コ）【０２４４】には、上記（ｋ１）で検討したように、保留３表示２９３の表示態様が宝箱Ａ２やＡ３の場合には、宝箱が開いて中からキャラクタが出現する場面が表示されることが記載されており、さらに、図１８（ｉ）では、リーチＡの演出態様が行われていることが、それぞれ、記載されている。
　そうすると、刊行物２には、副制御手段は、保留３表示２９３の表示態様が宝箱Ａ２やＡ３の場合には、宝箱が開いて中からキャラクタが出現する場面を表示した後にリーチＡの演出態様を行うパチンコ機１００が記載されているといえる。
　以上、上記（ア）〜（コ）の記載事項、図面の図示内容（サ）及び上記（ａ）〜（ｌ１）の認定事項を総合すれば、刊行物２には、以下の発明（以下、「引用発明２」という。）が記載されている（ａ〜ｌ１は発明の構成を分説するため当審で付与した。）。
「ａ　第１特図始動口２３０に入賞があり、且つ、保留している特図１変動遊技の数が所定数未満である場合には、所定の始動情報を取得する主制御部３００と、
ｂ　始動情報に基づいて、当否判定を行う主制御部３００と、
ｃ　図柄変動表示を行ってから当否判定の結果を表す図柄態様を停止表示する図柄表示手段の表示制御を行う主制御部３００と、
ｄ　特図停止図柄を表す情報等を含むコマンドデータの情報に基づいて、演出制御内容を決定して装飾図柄表示装置２０８の演出手段の制御を実行する第１副制御部４００及び第２副制御部５００からなる副制御手段と、を備え、
ｅ　副制御手段は、
ｆ１　宝箱の表示態様で保留３表示２９３を表示し、
ｇ１　保留３表示２９３を表示した状態で、保留３に基づく図柄変動表示を開始し、
ｈ　リーチＡの演出態様を行い、
ｊ１　保留３に基づく図柄変動表示が開始した後、保留３表示２９３の表示態様が宝箱Ａ１の場合には、宝箱が一向に開かないようにし、
ｋ１　保留３に基づく図柄変動表示が開始されると、保留３表示２９３の表示態様が宝箱Ａ２やＡ３の場合には、宝箱が開いて中からキャラクタが出現する場面を表示し、
ｌ１　保留３表示２９３の表示態様が宝箱Ａ２やＡ３の場合には、宝箱が開いて中からキャラクタが出現する場面を表示した後にリーチＡの演出態様を行うパチンコ機１００。」
３．対比
　本願発明と引用発明２とを対比する。なお、見出しは（ａ）〜（ｌ１）とし、本願発明、引用発明２の分説に対応させている。
（ａ）引用発明２の「所定の始動情報」は、本願発明の「取得情報」に相当する。
　そして、引用発明２において、「第１特図始動口２３０に入賞があり、且つ、保留している特図１変動遊技の数が所定数未満である」という取得条件が成立したときに、「所定の始動情報を取得」しているといえる。
　したがって、引用発明２の「第１特図始動口２３０に入賞があり、且つ、保留している特図１変動遊技の数が所定数未満である場合には、所定の始動情報を取得する主制御部３００」は、本願発明の「取得条件の成立に応じて取得情報を取得する取得手段」としての機能を有する。
（ｂ）引用発明２の「始動情報」は、本願発明の「取得情報」に相当する。
　また、当該技術分野において、始動情報に基づいて行う当否の判定が、特別遊技を実行するか否かの判定であることは技術常識であるから、引用発明２の「当否判定を行う」ことは、本願発明の「特別遊技を実行するか否かを判定する」ことに相当する。
　したがって、引用発明２の「始動情報に基づいて、当否判定を行う主制御部３００」は、本願発明の「前記取得情報に基づいて、特別遊技を実行するか否かを判定する特別遊技判定手段」としての機能を有する。
（ｃ）上記（ｂ）より、引用発明２の「当否判定」は、本願発明の「特別遊技判定手段による判定」に相当する。
　そうすると、引用発明２の「当否判定の結果を表す図柄態様」は、本願発明の「判定の結果を示す図柄」に相当する。
　また、引用発明２の「図柄表示手段」は、本願発明の「図柄表示手段」に相当する。
　したがって、引用発明２の「図柄変動表示を行ってから当否判定の結果を表す図柄態様を停止表示する図柄表示手段の表示制御を行う主制御部３００」は、本願発明の「前記特別遊技判定手段による判定が行われると、所定の図柄表示手段において図柄を変動表示させてから当該判定の結果を示す図柄を停止表示させる図柄表示制御手段」としての機能を有する。
（ｄ）引用発明２の「特図停止図柄」は、上記（ｃ）の「当否判定の結果を表す図柄態様」であるから、本願発明の「特別遊技判定手段の判定結果」を示す図柄に相当するから、引用発明２の「特図停止図柄を表す情報等を含むコマンドデータの情報に基づ」くことは、本願発明の「特別遊技判定手段の判定結果に基づく」ことに相当する。
　また、引用発明２の「演出制御内容を決定して装飾図柄表示装置２０８の演出手段の制御を実行する」ことは、本願発明の「演出を実行する」ことに相当する。
　したがって、引用発明２の「第１副制御部４００」及び「第２副制御部５００」とからなる「副制御手段」は、本願発明の「演出実行手段」に相当する。
　よって、引用発明２の「特図停止図柄を表す情報等を含むコマンドデータの情報に基づいて、演出制御内容を決定して装飾図柄表示装置２０８の演出手段の制御を実行する第１副制御部４００及び第２副制御部５００からなる副制御手段」は、本願発明の「前記特別遊技判定手段の判定結果に基づく演出を実行する演出実行手段」に相当する。
（ｅ）上記（ｄ）より、引用発明２の「副制御手段」は、本願発明の「演出実行手段」に相当する。
（ｆ１）引用発明２の「宝箱の表示態様で保留３表示２９３を表示」することは、本願発明の「第１演出」に相当する。
　したがって、引用発明２の、副制御手段は、本願発明の、「第１演出を実行する第１演出実行手段」を備えているといえる。
（ｇ１）引用発明２の「保留３表示２９３を表示した状態」は、本願発明の「前記第１演出の実行中」に相当する。
　また、引用発明２の「保留３に基づく図柄変動表示」は、本願発明の「第２演出」に相当する。
　したがって、引用発明２の、副制御手段は、本願発明の「前記第１演出の実行中に第２演出を開始する第２演出実行手段」を備えているといえる。
（ｈ）「リーチ」が、特別遊技が実行される可能性が相対的に高いことを示唆する予告演出であることは、当該技術分野の当業者にとって明らかなことである。
　したがって、引用発明２の「リーチＡの演出態様を行」うことは、本願発明の「前記特別遊技が実行される可能性が相対的に高いことを示唆する予告演出を実行可能」であることを含んでおり、引用発明２の副制御手段は、本願発明の「予告演出実行手段」を含んでいるといえる。
　よって、引用発明２の、副制御手段は、本願発明の、演出実行手段は、「前記特別遊技が実行される可能性が相対的に高いことを示唆する予告演出を実行可能な予告演出実行手段」を含むといえる。
（ｊ１）上記（ｇ１）より、引用発明２の「保留３に基づく図柄変動表示」は、本願発明の「第２演出」に相当する。
　また、引用発明２の「保留３表示２９３」が「宝箱」の「表示態様」で表示することは、本願発明の「第１演出」に相当する。
　そして、引用発明２の「宝箱が一向に開かない」ようにすることは、表示されている宝箱の表示態様が変化しないことであるから、本願発明の「実行中の第１演出の演出態様を維持する」ことに相当する。
　したがって、引用発明２の、副制御手段は、「保留３に基づく図柄変動表示が開始した後、保留３表示２９３の表示態様が宝箱Ａ１の場合には、宝箱が一向に開かないように」することは、本願発明の、演出実行手段は、「前記第２演出の開始に伴って、実行中の前記第１演出の演出態様を維持する場合」があることに相当する。
（ｋ１）上記（ｇ１）より、引用発明２の「保留３に基づく図柄変動表示」は、本願発明の「第２演出」に相当し、上記（ｊ１）より、引用発明２の「保留３表示２９３」が「宝箱」の「表示態様」で表示することは、本願発明の「第１演出」に相当する。
　また、引用発明２の「宝箱が開いて中からキャラクタが出現する場面を表示する」ことは、本願発明の「演出態様が変化」することに相当するから、引用発明２の「保留３表示２９３の表示態様が宝箱Ａ２やＡ３の場合には、宝箱が開いて中からキャラクタが出現する場面を表示する」ことは、本願発明の「演出態様が変化した前記第１演出を開始する」ことに相当する。
　そして、引用発明２は、「保留３に基づく図柄変動表示が開始されると」、すなわち、開始された後に、「宝箱が開」くものであるから、本願発明の「第２演出の開始から所定時間経過したことに伴って」、「演出態様が変化」するものである。
　したがって、引用発明２の、副制御手段は、「保留３に基づく図柄変動表示が開始されると、保留３表示２９３の表示態様が宝箱Ａ２やＡ３の場合には、宝箱が開いて中からキャラクタが出現する場面を表示する」ことは、本願発明の、演出実行手段は、「前記第２演出の開始から所定時間経過したことに伴って、演出態様が変化した前記第１演出を開始する場合」があることに相当する。
（ｌ１）上記（ｋ１）より、引用発明２の「保留３表示２９３の表示態様が宝箱Ａ２やＡ３の場合には、宝箱が開いて中からキャラクタが出現する場面を表示」することは、本願発明の「演出態様が変化した前記第１演出が開始され」ることに相当する。
　そして、上記（ｈ）より、引用発明２の「リーチＡの演出態様」は、本願発明の「予告演出」に相当する。
　また、引用発明２の「パチンコ機１００」は、本願発明の「遊技機」に相当する。
　したがって、引用発明２の、副制御手段は、「保留３表示２９３の表示態様が宝箱Ａ２やＡ３の場合には、宝箱が開いて中からキャラクタが出現する場面を表示した後にリーチＡの演出態様を行う」「パチンコ機１００」は、本願発明の、演出実行手段は、「演出態様が変化した前記第１演出が開始された後に前記予告演出が実行される場合がある」「遊技機」に相当する。
　上記（ａ）〜（ｌ１）の対比により、本願発明と引用発明２とは、
「Ａ　取得条件の成立に応じて取得情報を取得する取得手段と、
Ｂ　前記取得情報に基づいて、特別遊技を実行するか否かを判定する特別遊技判定手段と、
Ｃ　前記特別遊技判定手段による判定が行われると、所定の図柄表示手段において図柄を変動表示させてから当該判定の結果を示す図柄を停止表示させる図柄表示制御手段と、
Ｄ　前記特別遊技判定手段の判定結果に基づく演出を実行する演出実行手段と、を備え、
Ｅ　前記演出実行手段は、
Ｆ１　第１演出を実行する第１演出実行手段と、
Ｇ１　前記第１演出の実行中に第２演出を開始する第２演出実行手段と、
Ｈ　前記特別遊技が実行される可能性が相対的に高いことを示唆する予告演出を実行可能な予告演出実行手段と、を含み、
Ｊ１　前記第２演出の開始に伴って、実行中の前記第１演出の演出態様を維持する場合と、
Ｋ１　前記第２演出の開始から所定時間経過したことに伴って、演出態様が変化した前記第１演出を開始する場合とがあり、
Ｌ１　演出態様が変化した前記第１演出が開始された後に前記予告演出が実行される場合がある遊技機。」
である点で一致しており、相違点はない。
４．判断
　したがって、本願発明は引用発明２と同一であり、刊行物２に記載された発明といえる。
　仮に、相違点があったとしても、本願発明は引用発明２から当業者が容易に想到することができたものであるといえる。
５．むすび
　以上のとおり、本願発明は、特許法第２９条第１項第３号の規定に該当し、又は特許法第２９条第２項の規定に基づいて特許を受けることができないものである。
　したがって、その余の請求項である請求項２について検討するまでもなく、本願は拒絶すべきものである。
　よって、結論のとおり審決する。